(57)【要約】【課題】データの不正使用を防止する手段を予め備えない記録媒体に関して、その記録媒体に記録されたデータの不正使用を防止できるデータ記録装置を提供すること。【解決手段】操作されることにより信号を出力する入力操作部１１ａ，１１ｂと、記録媒体５４が着脱可能に装着される装着部５１と、この装着部５１に装着された記録媒体５４に対して、データを読取不能な状態に変換して記録する記録処理部６２と、入力操作部１１ａ，１１ｂに対して所定操作が行われたことを検知する所定操作検知部６４と、入力操作部１１ａ，１１ｂに対して所定操作が行われたことが所定操作検知部６４により検知された場合に限って、読取不能な状態のデータを読取可能な状態に復元するのに必要な復元プログラムを記録媒体５４に書き込む読取許可処理部６５とを備える。【選択図】図３
2015118544.tif 000002
【特許請求の範囲】
【請求項１】
操作されることにより信号を出力する入力操作部と、
記録媒体が着脱可能に装着される装着部と、
この装着部に装着された前記記録媒体に対して、データを読取不能な状態に変換して記録する記録処理部と、
前記入力操作部に対して所定操作が行われたことを、前記入力操作部からの信号に基づいて検知する所定操作検知部と、
前記入力操作部に対して所定操作が行われたことが前記所定操作検知部により検知された場合に限って、読取不能な状態のデータを読取可能な状態に復元するのに必要な復元プログラムを前記記録媒体に書き込む読取許可処理部と
を備えることを特徴とするデータ記録装置。
【請求項２】
エレベータの乗かご内に設けられたかご内操作盤に含まれ、操作されることにより信号を出力する入力操作部と、
記録媒体が着脱可能に装着される装着部と、
この装着部に装着された前記記録媒体に対して、監視カメラにより撮影された前記乗かご内の様子がデータ化されたものである映像データを読取不能な状態に変換して記録する記録処理部と、
前記入力操作部に対して所定操作が行われたことを、前記入力操作部からの信号に基づいて検知する所定操作検知部と、
前記かご内操作盤に対して所定操作が行われたことが前記所定操作検知部により検知された場合に限って、読取不能な状態の映像データを読取可能な状態に復元するのに必要な復元プログラムを前記記録媒体に書き込む読取許可処理部と
を備えることを特徴とするデータ記録装置。
【発明の詳細な説明】
【技術分野】
【０００１】
本発明は記録媒体に記録されたデータの不正使用を防止するデータ記録装置に関する。
【背景技術】
【０００２】
特許文献１には、エレベータ用防犯カメラシステムが開示されている。このエレベータ用防犯カメラシステムにおいて、エレベータかご内に設置されたカメラで撮影された映像データは、カメラ制御装置により保存および出力される。カメラ制御装置のハードディスクに保存されたデジタル映像データを確認するためには、コンピュータとかご内操作盤のモジュラージャックとを通信ケーブルにより接続する。コンピュータはカメラ制御装置と通信を行い、カメラ制御装置のハードディスクに保存されたデジタル映像データをコンピュータの表示装置に再生することができる。
【０００３】
特許文献２には不揮発メモリ装置が記載されている。この不揮発メモリ装置は、情報処理装置に対して着脱可能なものであって、データを不揮発に記憶するメモリ部と、所定のトリガが発生した場合に、メモリ部に記憶されたデータを消去させる消去指示を発する消去指示手段と、消去指示手段からの消去指示を受けて、メモリ部に記憶されたデータを消去する消去手段と、を備える。つまり、この不揮発メモリ装置は、メモリ部に記憶されているデータを自動的に消去することで、データの不正使用を防止する。
【先行技術文献】
【特許文献】
【０００４】
【特許文献１】特開２００３−４０５４２号公報
【特許文献２】特開２００６−１９５７１９号公報
【発明の概要】
【発明が解決しようとする課題】
【０００５】
特許文献２に開示された不揮発メモリ装置は、データを記憶するメモリ部以外に、消去指示手段および消去手段という特殊な手段を予め備えることによって、データの不正使用を防止するものである。このため、それらの特殊な手段を予め備えない記録媒体、例えば特許文献１に開示されたエレベータ用防犯カメラシステムにおけるハードディスク等の記録媒体には適用できない。
【０００６】
本発明は前述の事情を考慮してなされたものであり、その目的は、データの不正使用を防止する手段を予め備えない記録媒体に関して、その記録媒体に記録されたデータの不正使用を防止できるデータ記録装置を提供することにある。
【課題を解決するための手段】
【０００７】
前述の目的を達成するために本発明に係るデータ記録装置は、次のように構成されている。
【０００８】
〔１〕  本発明に係るデータ記録装置は、操作されることにより信号を出力する入力操作部と、記録媒体が着脱可能に装着される装着部と、この装着部に装着された前記記録媒体に対して、データを読取不能な状態に変換して記録する記録処理部と、前記入力操作部に対して所定操作が行われたことを、前記入力操作部からの信号に基づいて検知する所定操作検知部と、前記入力操作部に対して所定操作が行われたことが前記所定操作検知部により検知された場合に限って、読取不能な状態のデータを読取可能な状態に復元するのに必要な復元プログラムを前記記録媒体に書き込む読取許可処理部とを備えることを特徴とする。
【０００９】
〔２〕  本発明に係るデータ記録装置は、エレベータの乗かご内に設けられたかご内操作盤に含まれ、操作されることにより信号を出力する入力操作部と、記録媒体が着脱可能に装着される装着部と、この装着部に装着された前記記録媒体に対して、監視カメラにより撮影された前記乗かご内の様子がデータ化されたものである映像データを読取不能な状態に変換して記録する記録処理部と、前記入力操作部に対して所定操作が行われたことを、前記入力操作部からの信号に基づいて検知する所定操作検知部と、前記かご内操作盤に対して所定操作が行われたことが前記所定操作検知部により検知された場合に限って、読取不能な状態の映像データを読取可能な状態に復元するのに必要な復元プログラムを前記記録媒体に書き込む読取許可処理部とを備えることを特徴とする。
【発明の効果】
【００１０】
「〔１〕」に記載の本発明に係るデータ記録装置は、記録処理部によりデータを読取不能な状態に変換して記録媒体に記録した上で、入力操作部に対して所定操作が行われたことが所定操作検知部により検知された場合に限って、読取不能な状態のデータを読取可能な状態に復元するのに必要な復元プログラムを読取許可処理部により記録媒体に書き込む。これにより、入力操作部に対して所定操作を行うことなく記録媒体を装着部から取出した場合には、その記憶媒体に記録されたデータをパソコン等の情報処理装置を用いて読み取ろうとしても、その記録媒体に復元プログラムが書き込まれていないので、読み取ることはできない。したがって、データの不正使用を防止する手段を予め備えない記録媒体に関して、その記録媒体に記録されたデータの不正使用を防止することができる。
【００１１】
「〔２〕」に記載の本発明に係るデータ記録装置は、監視カメラにより撮影された乗かご内の様子がデータ化されたものである映像データを、記録処理部により読取不能な状態に変換して記録媒体に記録した上で、かご内操作盤に含まれる入力操作部に対して所定操作が行われたことが所定操作検知部により検知された場合に限って、読取不能な状態のデータを読取可能な状態に復元するのに必要な復元プログラムを読取許可処理部により記録媒体に書き込む。これにより、かご内操作盤に含まれる入力操作部に対して所定操作を行うことなく記録媒体を装着部から取出した場合、その記憶媒体に記録された映像データをパソコン等の情報処理装置を用いて読み取ろうとしても、その記録媒体に復元プログラムが書き込まれていないので、読み取ることはできない。したがって、「〔２〕」に記載の本発明に係るデータ記録装置は、データの不正使用を防止する手段を予め備えない記録媒体のうち、特にエレベータの乗かご内の様子がデータ化されたものである映像データの記録に用いられる記録媒体に関して、その記録媒体に記録された映像データの不正使用を防止することができる。
【図面の簡単な説明】
【００１２】
【図１】本発明の一実施形態に係るデータ記録装置を備えるエレベータ乗かご内監視装置の概略図である。
【図２】本発明の一実施形態に係るデータ記録装置の本体の外観斜視図である。
【図３】本発明の一実施形態に係るデータ記録装置のブロック図である。
【発明を実施するための形態】
【００１３】
本発明の実施形態に係るデータ記録装置について図１〜図３を用いて説明する。
【００１４】
図１に示すように、乗かご１の出入口２の側方の壁には、かご内操作盤１０が設けられている。このかご内操作盤１０は、乗かご１内において乗客により操作されるスイッチが設けられた乗客用操作領域１０ａと、この乗客用操作領域１０ａの下方に位置し、エレベータの保守点検作業を行う作業者およびエレベータの管理者等の乗客以外のエレベータの関係者により操作されるスイッチが設けられた関係者用操作領域１０ｂと、この関係者用操作領域１０ｂを覆い隠す施錠可能な扉２０とを有する。
【００１５】
乗客用操作領域１０ａに設けられたスイッチは、複数（例えば８個）の行先階登録ボタンスイッチ１１、ドア開ボタンスイッチ１２、ドア閉ボタンスイッチ１３等である。行先階登録ボタンスイッチ１１、ドア開ボタンスイッチ１２およびドア閉ボタンスイッチ１３は何れも、押ボタンスイッチである。
【００１６】
行先階登録ボタンスイッチ１１は、操作ボタンを押圧操作されることによってかご呼びの契機となる行先階登録信号を出力するものである。ドア開ボタンスイッチ１２は、操作ボタンを押圧されることによってかごドアと乗場ドアを開くことを指令するドア開指令信号を出力するものである。ドア閉ボタンスイッチ１３は、操作ボタンを押圧操作されることによってかごドアと乗場ドアを閉めることを指令するドア閉指令信号を出力するものである。
【００１７】
関係者用操作領域１０ｂに設けられたスイッチは、例えば低速走行スイッチ２１および空調スイッチ２２であり、これら低速走行スイッチ２１および空調スイッチ２２は何れもロッカースイッチ（シーソースイッチ）である。
【００１８】
低速走行スイッチ２１は、操作ボタンの一端側を押圧操作されることによってオン状態となり、操作ボタンの他端側を押圧操作されることによってオフ状態になる。この低速走行スイッチ２１のオン状態は、乗かご１の走行速度が通常よりも低速に制御される状態であり、低速走行スイッチ２１のオフ状態は、乗かご１の走行速度が乗客を輸送する走行速度である通常速度に制御される状態である。
【００１９】
空調スイッチ２２も、操作ボタンの一端側を押圧操作されることによってオン状態となり、操作ボタンの他端側を押圧操作されることによってオフ状態になる。この空調スイッチ２２のオン状態は、換気扇（図示省略）および空調装置（図示省略）を作動させる状態であり、空調スイッチ２２のオフ状態は換気扇および空調装置を停止させる状態である。
【００２０】
同図１に示すように、エレベータ乗かご内監視装置３０は、乗かご１の上部、例えば天井１ａに設けられ、乗かご１内の様子を撮影し、その様子を撮影信号に変換して出力する監視カメラ４０と、かご内操作盤１０の関係者操作領域１０ｂに収容され、記録媒体であるＳＤカード５４（図２に示す）に対して、監視カメラ４０から出力された撮影信号を映像データに変換して記録するデータ記録装置５０とを備える。
【００２１】
図２，図３に示すように、データ記録装置５０は、このデータ記録装置５０の本体５０ａに設けられ、ＳＤカード５４が着脱可能に装着されるカードコネクタ５１（装着部）と、本体５０ａに設けられ、カードコネクタ５１からのＳＤカード５４の取出しの際に押圧操作されるイジェクトボタンスイッチ５２と、本体５０ａに設けられ、ＬＥＤランプから成る表示灯５３と、本体５０ａに収容された制御装置６０と、かご内操作盤１０に含まれる入力操作部とを備える。かご内操作盤１０に含まれる入力操作部は、８個の行き先階登録ボタンスイッチ１１、ドア開ボタンスイッチ１２、ドア閉ボタンスイッチ１３の何れか、例えば、５階からのかご呼びを行うための行先階登録ボタンスイッチである５階ボタンスイッチ１１ａと、６階からのかご呼びを行うための行先階登録ボタンスイッチである６階ボタンスイッチ１１ｂである。５階ボタンスイッチ１１ａは、５階からのかご呼びの契機となる行先階登録信号を制御装置６０に対して入力可能に、この制御装置６０に接続されている。これと同様に、６階ボタンスイッチ１１ｂは、６階からのかご呼びの契機となる行先階登録信号を制御装置６０に対して入力可能に、この制御装置６０に接続されている。
【００２２】
カードコネクタ５１は、ＳＤカード５４を装着された状態において、この状態を示す装着信号（電気信号）を制御装置６０に対して出力する。カードコネクタ５１は、ＳＤカード５４を装着されてない状態においては装着信号を出力しない。イジェクトボタンスイッチ５２は、押圧操作されたときに操作信号（電気信号）を出力するものである。
【００２３】
制御装置６０はＣＰＵ、ＲＡＭ、ＲＯＭを備え、これらを用いてデータ記録装置５０の制御に係る処理を行うものである。この制御装置６０は、コンピュータプログラムにより設定された機能部として、装着判定部６１、記録処理部６２、イジェクト操作検知部６３、所定操作検知部６４、読取許可処理部６５、表示処理部６６とを備える。これらの機能部について説明していく。
【００２４】
装着判定部６１は、カードコネクタ５１にＳＤカード５４が装着された状態であるか否かの判定を行うものである。この装着判定部６１は、制御装置６０に対して装着信号が入力されている状態を、カードコネクタ５１にＳＤカード５４が装着された状態であると判定し、制御装置６０に対して装着信号が入力されていない状態を、カードコネクタ５１にＳＤカード５４が装着された状態でないと判定する。
【００２５】
記録処理部６２は、カードコネクタ５１にＳＤカード５４が装着された状態であると装着判定部６１により判定された状態において、監視カメラ４０から出力された撮影信号を映像データに変換し、さらにその映像データを読取不能な状態に変換してＳＤカード５４に記録するものである。ここで、映像データの読取不能な状態とは、映像データの時系列が無秩序に並び替えられた状態である。記録処理部６１は、乱数を用いて映像データの時系列を無秩序化する。記録処理部６２は、映像データの時系列の並び替えの内容を、映像データの記録を開始する度に乱数を用いて決定する。
【００２６】
イジェクト操作検知部６３は、イジェクトボタンスイッチ５２の押圧操作を検知するものである。このイジェクト操作検知部６３は、イジェクトボタンスイッチ５２からの操作信号が制御装置６０に対して入力されたことを、イジェクトボタンスイッチ５２が押圧操作されたこととして検知する。なお、イジェクト操作検知部６３によりイジェクトボタンスイッチ５２の押圧操作が検知されたことに基づき、記録処理部６２はＳＤカード５４への録画を停止する。
【００２７】
所定操作検知部６４は、かご内操作盤１０に含まれる入力操作部である５階ボタンスイッチ１１ａと６階ボタンスイッチ１１ｂとに対して所定操作が行われたことを検知するものである。その所定操作は、例えば、５階ボタンスイッチ１１ａと６階ボタンスイッチ１１ｂとの両方を、同時に３秒間の長押しすることである。所定操作検知部６４は、５階ボタンスイッチ１１ａと６階ボタンスイッチ１１ｂとの両方から制御装置６０に対して行先階登録信号が同時に３秒間連続して入力されたことを、５階ボタンスイッチ１１ａと６階ボタンスイッチ１１ｂに対して所定操作が行われたこととして検知する。所定操作は、乗客が通常行わない操作であれば、５階ボタンスイッチ１１ａと６階ボタンスイッチ１１ｂの長押し操作でなくてもよい。
【００２８】
読取許可処理部６５は、前述の所定操作が行われたこと（５階ボタンスイッチ１１ａと６階ボタンスイッチ１１ｂとが同時に３秒間連続して長押しされたこと）が所定操作検知部６４により検知された場合に限って、読取不能な状態の映像データを読取可能な状態に復元するのに必要な復元プログラムをＳＤカード５４に書き込むものである。ここで、復元プログラムは、記録処理部６２によって時系列を無秩序化された映像データを正しい時系列に復元するためのものである。読取許可処理部６５は、映像データの記録開始時に記録処理部６１により用いられた乱数に基づいて復元プログラムを作成する。
【００２９】
前述の所定操作は、エレベータの関係者のみに伝えられる操作である。したがって、ＳＤカード５４に記録された映像データの不正使用を行おうとする者が、エレベータの関係者であったり、所定操作を不正な方法で知った非関係者であったりしない限り、ＳＤカード５４に復元プログラムが書き込まれることはない。
【００３０】
表示処理部６６は、表示灯５３を制御するものである。この表示処理部６６は、ＳＤカード５４がカードコネクタ５１に装着された状態であると装着判定部６１により判定されている間、表示灯５３を点灯した状態に維持する。また、表示処理部６６は、イジェクトボタンスイッチ５２に対する押圧操作がイジェクト操作検知部６３により検知された時点から、ＳＤカード５４がカードコネクタ５１に装着された状態でないと装着判定部６１により判定されるまでの間、表示灯５３を点滅した状態に維持する。また、表示処理部６６は、ＳＤカード５４がカードコネクタ５１に装着された状態でないと装着判定部６１により判定されている間、表示灯５３を消灯した状態に維持する。
【００３１】
このように構成された本実施形態に係るデータデータ記録装置５０を、前述の所定操作を知っているエレベータの関係者が使用して、ＳＤカード５４に記録された映像データを再生する場合に、その関係者は次の手順で作業を行う。
【００３２】
関係者は、はじめに、扉２０を解錠して開ける。これにより、かご内操作盤１０は乗かご１内からデータ記録装置５０の本体５０ａを扱える状態になる。次に、関係者は、かご内操作盤１０の５階ボタンスイッチ１１ａと６階ボタンスイッチ１１ｂとを同時に３秒間長押しする。これにより、５階ボタンスイッチ１１ａと６階ボタンスイッチ１１ｂの両方から行き先階登録信号が３秒間連続して、データ記録装置５０の制御装置６０に対して入力される。これに伴い、制御装置６０の読取許可処理部６５は、５階ボタンスイッチ１１ａと６階ボタンスイッチ１１ｂとの両方から行き先階登録信号が制御装置６０に対して３秒間連続して入力されたことを、５階ボタンスイッチ１１ａと６階ボタンスイッチ１１ｂとに対して前述の所定操作が行われたこととして検知する。
【００３３】
そして、読取許可処理部６５は、５階ボタンスイッチ１１ａと６階ボタンスイッチ１１ｂとの両方が同時に３秒間長押しされたことを検知した時点までにＳＤカード５４に記録された映像データに係る復元プログラムをＳＤカード５４に書き込む。
【００３４】
次に、関係者は、イジェクトボタンスイッチ５２に対する押圧操作を行う。これにより、イジェクトボタンスイッチ５２から操作信号がデータ記録装置５０の制御装置６０に入力される。これに伴い、制御装置６０のイジェクト操作検知部６４は、イジェクトボタンスイッチ５２から操作信号が制御装置６０に対して入力されたことを、イジェクトボタンスイッチ５２に対して押圧操作が行われたこととして検知し、このことに基づき、記録処理部６２はＳＤカード５４への映像データの記録（録画）を停止する。
【００３５】
次に、関係者は、ＳＤカード５４をデータ記録装置５０のカードコネクタ５１から取出す。次に、関係者は、そのＳＤカード５４をノートパソコン等の情報処理装置のカードコネクタに装着する。次に、関係者は、ＳＤカード５４に書き込まれた復元プログラムの実行に必要な操作を、情報処理装置（図示してない）の入力装置に対して行う。これにより、情報処理装置は、ＳＤカード５４に読取不能な状態で記録された映像データを、復元プログラムを実行することで読取可能な状態に復元して読み取る。そして、関係者は、復元された映像データの再生に必要な操作を情報処理装置の入力装置に対して行い、その映像データを情報処理装置の表示装置に再生させて表示させる。
【００３６】
本実施形態に係るデータ記録装置５０を、前述の所定操作を知らない非関係者が使用して、ＳＤカード５４に記録された映像データを再生しようとした場合には、次のようになる。
【００３７】
非関係者は、はじめに、扉２０を破壊するなどの不正な方法で扉２０を開ける。これにより、かご内操作盤１０は乗かご１内からデータ記録装置５０の本体５０ａを扱える状態になる。次に、非関係者は、かご内操作盤１０の５階ボタンスイッチ１１ａと６階ボタンスイッチ１１ｂとを同時に３秒間長押しする必要があることを知らないので、その長押しを行うことなく、イジェクトボタンスイッチ５２を押圧操作して、または、イジェクトボタンスイッチ５２を押圧操作しないで、ＳＤカード５４をデータ記録装置５０のカードコネクタ５１から取り出す。つまり、非関係者は、読取不能な状態の映像データを読取可能な状態に復元するのに必要な復元プログラムが書き込まれていない状態のＳＤカード５４を、データ記録装置５０のカードコネクタ５１から取り出す。
【００３８】
次に、非関係者は、そのＳＤカード５４をノートパソコン等の情報処理装置のカードコネクタに装着する。次に、非関係者は、ＳＤカード５４に記録された映像データを再生しようとするが、そのＳＤカード５４には復元プログラムが書き込まれていないので、ＳＤカード５４に記録された映像データを情報処理装置に読み取らせることができず、したがって情報処理装置に再生させることができない。
【００３９】
本実施形態に係るデータ記録装置５０は次の効果を奏する。
【００４０】
本実施形態に係るデータ記録装置５０は、記録処理部６２により映像データを読取不能な状態に変換してＳＤカード５４に記録した上で、５階ボタンスイッチ１１ａと６階ボタンスイッチ１１ｂとを同時に３秒間長押しするという所定操作が行われたことが所定操作検知部６４により検知された場合に限って、読取不能な状態の映像データを読取可能な状態に復元するのに必要な復元プログラムを読取許可処理部６５によりＳＤカード５４に書き込む。これにより、５階ボタンスイッチ１１ａと６階ボタンスイッチ１１ｂとに対して所定操作を行うことなくＳＤカード５４をカードコネクタ５１から取出した場合、そのＳＤカード５４に記録された映像データをノートパソコン等の情報処理装置を用いて読み取ろうとしても、そのＳＤカード５４に復元プログラムが書き込まれていないので、読み取ることはできない。したがって、本実施形態に係るデータ記録装置は、データの不正使用を防止する手段を予め備えないＳＤカードのうち、特にエレベータの乗かご１内の様子の映像データの記録に用いられるＳＤカード５４に関して、そのＳＤカード５４に記録された映像データの不正使用を防止することができる。
【００４１】
本実施形態に係るデータ記録装置５０において、記録処理部６２は、映像データの時系列の並び替えの内容を、映像データの記録を開始する度に乱数を用いて決定し、読取許可処理部６５は、映像データの記録開始時に記録処理部６１により用いられた乱数に基づいて復元プログラムを作成する。これにより、本実施形態に係るデータ記録装置５０は、異なる期間にＳＤカード５４に記録された映像データが互いに同じ復元プログラムで復元されること、言い換えると、１種類の復元プログラムが繰り返し用いられることを防止できる。
【００４２】
本実施形態に係るデータ記録装置５０において、所定操作の対象となる入力操作部は、かご内操作盤１０に含まれるものであるので、データ記録装置５０に対して所定操作専用に入力操作部を設けることを回避でき、これにより、データ記録装置５０のコストアップを抑えることができる。
【００４３】
前述の実施形態に係るデータ記録装置５０において、装着部は記録媒体としてＳＤカード５４が着脱可能に装着されるカードコネクタ５１であったが、本発明における装着部はＳＤカードが装着されるものに限定されるものではなく、ＳＤカード以外の記録媒体が装着されるものであってもよい。
【００４４】
前述の実施形態に係るデータ記録装置において、記録処理部６２は映像データの時系列を無秩序に並び替えることで映像データを読取不能な状態に変換するものであり、読取許可処理部６５は記録処理部６２によって時系列を無秩序に並び替えられた映像データを正しい時系列の映像データに復元するのに必要な復元プログラムをＳＤカード５４に書き込むものであったが、本発明における記録処理部、読取許可処理部はそれらに限定されるものではなく、記録処理部は映像データを読取不能な状態に変換するものであり、読取許可処理部は記録処理部により読取不能な状態にされた映像データを読取可能な状態に復元するのに必要な復元プログラムを記録媒体に書き込むものであればよい。
【００４５】
例えば、記録処理部は映像データであることを示すヘッダ等の情報を映像データから取り除くことで映像データを読取不能な状態に変換するものであり、読取許可処理部はそのヘッダ等の情報を復元するのに必要な復元プログラムを記録媒体に書き込むものであってもよい。
【００４６】
また例えば、記録処理部は映像データを暗号化することで読取不能な状態に変換するものであり、読取許可処理部は暗号化された映像データの復号化に必要な復元プログラムを記録媒体に書き込むものであってもよい。
【００４７】
前述の実施形態に係るデータ記録装置５０は、エレベータ乗かご内監視装置３０に適用された例であり、所定操作の対象である入力操作部はかご内操作盤１０に含まれるもの（例えば５階ボタンスイッチ１１ａ、６階ボタンスイッチ１１ｂ）であったが、本発明に係るデータ記録装置の適用対象はエレベータ乗かご内監視装置に適用されるものに限定されるものではなく、別の装置に適用される場合には、その装置に備えられる入力操作部が所定操作の対象であってもよい。
【００４８】
前述の実施形態に係るデータ記録装置５０は、エレベータ乗かご内監視装置３０に適用された例であるので、ＳＤカード５４に記録されるデータは映像データであったが、本発明においてデータは映像データに限定されるものではなく、映像データ以外のデータであってもよい。
【００４９】
前述の実施形態に係るデータ記録装置５０において、所定操作の対象である入力操作部は、データ記録装置５０の本体５０ａとは異なる箇所に設けられたものであったが、本体５０ａに設けられるものであってもよい。
【符号の説明】
【００５０】
１  乗かご
１０  かご内操作盤
１１ａ  ５階ボタンスイッチ（入力操作部）
１１ｂ  ６階ボタンスイッチ（入力操作部）
３０  エレベータ乗かご内監視装置
４０  監視カメラ
５０  データ記録装置
５１  カードコネクタ（装着部）
５４  ＳＤカード（記録媒体）
６２  記録処理部
６４  所定操作検知部
６５  読取許可処理部
【図１】
2015118544.tif 000003
【図２】
2015118544.tif 000004
【図３】
2015118544.tif 000005